(57)【要約】【課題】ボックス本体の上部にグラブドアを備える車両用グラブボックスにおいて、対象ユニットに対する作業用開口へのアクセス性を向上させ且つ収容物に対する防犯性を高めるのに有効な技術を提供する。【解決手段】車両用グラブボックス１０は、インストルメントパネル２に取付けられたボックス本体２０と、ボックス本体２０に上部開口２０ｂを開閉可能且つ施錠可能に設けられたグラブドア３０と、ボックス本体２０にアクセス用開口２３ａを塞ぐように取付けられたカバー部材４０と、ボックス本体２０に対してカバー部材４０を固定するための固定部５０と、を備え、グラブドア３０の施錠が解除され且つこのグラブドア３０が開放された状態で、ボックス本体２０の上部開口２０ｂを通じて固定部５０によるカバー部材４０の固定及び固定解除が可能となるように構成されている。【選択図】図２
2019098842.tif 000002
【特許請求の範囲】
【請求項１】
対象ユニットの車両後方側に配置される車両用グラブボックスであって、
インストルメントパネルに固定され、収容空間の上方に設けられた上部開口と、上記対象ユニットに対する作業を行うための作業用開口と、車室側から上記作業用開口にアクセスするためのアクセス用開口と、を有するボックス本体と、
上記ボックス本体に上記上部開口を開閉可能且つ施錠可能に設けられたグラブドアと、
上記ボックス本体に上記アクセス用開口を塞ぐように取付けられるカバー部材と、
上記ボックス本体に取付けられた上記カバー部材を固定するための固定部と、
を備え、
上記グラブドアの施錠が解除され且つこのグラブドアが開放された状態で、上記ボックス本体の上記上部開口を通じて上記固定部による上記カバー部材の固定及び固定解除が可能となるように構成されている、車両用グラブボックス。
【請求項２】
上記固定部は、上記ボックス本体及び上記カバー部材の一方にアンロック位置とロック位置との間でスライド操作可能に組み込まれた係合部材を有し、
上記係合部材が上記アンロック位置から上記ロック位置にスライド操作されて上記ボックス本体及び上記カバー部材の他方に設けられている被係合部と係合することによって上記カバー部材が上記ボックス本体に対して固定され、上記係合部材が上記ロック位置から上記アンロック位置にスライド操作されて上記被係合部との係合を解除することによって上記カバー部材が上記ボックス本体に対して固定解除されるように構成されている、請求項１に記載の車両用グラブボックス。
【請求項３】
上記係合部材のスライド方向は、上記ボックス本体の上記収容空間に収容されている収容物からこの係合部材が荷重を受ける方向と交差する方向である、請求項２に記載の車両用グラブボックス。
【請求項４】
上記カバー部材は、上記ボックス本体に設けられた挿入穴に挿入可能な係合爪を有し、上記係合爪が上記挿入穴に挿入されることによって上記ボックス本体に取付けられ、上記係合爪が上記挿入穴から抜き出されることによって上記ボックス本体から取外されるように構成されている、請求項１〜３のいずれか一項に記載の車両用グラブボックス。
【請求項５】
上記カバー部材が上記ボックス本体に取付けられた状態で、上記係合爪は、上記ボックス本体の上記収容空間に収容された収容物から上記ボックス本体のうち上記挿入穴の縁部に押し付けられる方向の荷重を受けるように構成されている、請求項４に記載の車両用グラブボックス。
【請求項６】
上記係合爪は、上記カバー部材の下部に下向きに湾曲して設けられており、上記カバー部材は、上記係合爪が上記ボックス本体の上記挿入穴に挿入された状態でこの係合爪を中心に回動可能に構成されている、請求項５に記載の車両用グラブボックス。
【請求項７】
上記ボックス本体は、車両前方側に配置される第１パネル部材と車両後方側に配置される第２パネル部材が互いに接合されることによって上記収容空間を形成しており、上記第１パネル部材に上記作業用開口が設けられ、上記第２パネル部材のうち上記作業用開口と同じ高さに上記アクセス用開口が設けられている、請求項１〜６のいずれか一項に記載の車両用グラブボックス。
【請求項８】
上記ボックス本体の上記作業用開口は、上記対象ユニットとしての空調ユニットのエアフィルターの着脱のためのフィルター用開口である、請求項１〜７のいずれか一項に記載の車両用グラブボックス。
【発明の詳細な説明】
【技術分野】
【０００１】
本発明は、車両に設けられるグラブボックスに関する。
【背景技術】
【０００２】
下記の特許文献１には、車両用のインストルメントパネル構造（以下、単に「インパネ構造」という。）が開示されている。このインパネ構造において、インストルメントパネル（以下、単に「インパネ」という。）の助手席側には、収容空間を形成するボックス本体とグラブドアが一体となったグラブボックスが設けられている。このグラブボックスは、空調ユニットの車両後方側に配置されている。そして、空調ユニットのエアフィルターの着脱のためにインパネの下部にフィルター用開口が設けられており、このフィルター用開口が蓋によって開閉されるように構成されている。
【０００３】
このグラブボックスにおいて、グラブドアは、通常の開位置と、この開位置よりも更に開かれたフィルター交換位置と、に設定することができるようになっている。このグラブボックスによれば、グラブドアをフィルター交換位置まで開いた後、フィルター用開口の蓋を開放して車室側からエアフィルターを引き出すことによって、エアフィルターを空調ユニットから取外すことができる。
【先行技術文献】
【特許文献】
【０００４】
【特許文献１】特開２００４−７５０４２号公報
【発明の概要】
【発明が解決しようとする課題】
【０００５】
ところで、上記のグラブボックスの場合、空調ユニットの搭載位置の影響によってボックス本体の前後方向の底面寸法が制限されると、ボックス本体がグラブドアと共にフィルター交換位置に向けて開方向へ動いたときにボックス本体の収容空間から収容物が抜け出し易くなり使い勝手が悪い。
【０００６】
そこで、このグラブボックスにおいて、インパネに固定されるボックス本体の上部にグラブドアを設けることができる。これにより、グラブドアを開いてもボックス本体自体が動かないためボックス本体の収容空間から収容物が抜け出すのを防ぐことができる。
ところが、ボックス本体の上部にグラブドアを設けると、このグラブドアがフィルター用開口よりも高所に配置されることになり、空調ユニットのエアフィルターの着脱を行うときにグラブドアを開いた状態でフィルター用開口にアクセスするのが難しいという問題が生じ得る。
【０００７】
この問題に対処するために、フィルター用開口に車室側からアクセス可能なアクセス用開口をボックス本体の下部に設けることができる。これにより作業者は、グラブドアを開けることなくフィルター用開口に車室側からアクセスできる。一方で、ボックス本体にアクセス用開口を設ける設計においては、ボックス本体の収容空間に収容された収容物に対する防犯性を高めるための構造が必要になる。
また、上記のような問題は、グラブボックスのボックス本体に設けられたフィルター用開口が、空調ユニットとは別の対象ユニットに対して作業を行うのに使用される作業用開口に変更された場合においても同様に生じ得る。
【０００８】
本発明は、かかる課題に鑑みてなされたものであり、ボックス本体の上部にグラブドアを備える車両用グラブボックスにおいて、対象ユニットに対する作業用開口へのアクセス性を向上させ且つ収容物に対する防犯性を高めるのに有効な技術を提供しようとするものである。
【課題を解決するための手段】
【０００９】
本発明の一態様は、
対象ユニットの車両後方側に配置される車両用グラブボックスであって、
インストルメントパネルに固定され、収容空間の上方に設けられた上部開口と、上記対象ユニットに対する作業を行うための作業用開口と、車室側から上記作業用開口にアクセスするためのアクセス用開口と、を有するボックス本体と、
上記ボックス本体に上記上部開口を開閉可能且つ施錠可能に設けられたグラブドアと、
上記ボックス本体に上記アクセス用開口を塞ぐように取付けられるカバー部材と、
上記ボックス本体に取付けられた上記カバー部材を固定するための固定部と、
を備え、
上記グラブドアの施錠が解除され且つこのグラブドアが開放された状態で、上記ボックス本体の上記上部開口を通じて上記固定部による上記カバー部材の固定及び固定解除が可能となるように構成されている、車両用グラブボックス、
にある。
【発明の効果】
【００１０】
上記の車両用グラブボックスにおいて、ボックス本体はインパネに固定され且つ収容空間の上方に上部開口を備える。このため、グラブドアを開いてもボックス本体自体が動かないためボックス本体の収容空間から収容物が抜け出すのを防ぐことができ、使い勝手が良い。
また、カバー部材がボックス本体のアクセス用開口を塞いでいない状態で、作業者はこのアクセス用開口を通じて作業用開口にアクセスして、対象ユニットに対する作業を行うことができる。この場合、作業者は、ボックス本体の上部開口の位置に制限されることなく作業用開口へのアクセスが可能であるためアクセス性が良い。
【００１１】
ここで、カバー部材は固定部によってボックス本体に固定される。そして、グラブドアの施錠が解除され且つこのグラブドアが開放された状態で上部開口を通じてのみ、固定部によるカバー部材の固定及び固定解除が可能とされている。即ち、グラブドアが施錠された状態では固定部によるカバー部材の固定及び固定解除が実質的に不能になる。
このため、鍵付きのグラブドアを開かなければカバー部材をボックス本体から容易に取外すことができず、ボックス本体の収容空間の収容物に対する防犯性が担保されるためセキュリティ対策に優れている。
【００１２】
以上のごとく、上記の態様によれば、ボックス本体の上部にグラブドアを備えるグラブボックスにおいて、対象ユニットに対する作業用開口へのアクセス性を向上させ且つ収容物に対する防犯性を高めることができる。
【図面の簡単な説明】
【００１３】
【図１】実施形態１にかかるインストルメントパネル構造を車室側から視た図。
【図２】図１のII-II線矢視断面図。
【図３】図２中のカバー部材を裏面側から視た斜視図。
【図４】図２中のボックス本体を後方側から視た平面図。
【図５】図２中のボックス本体を前方側から視た平面図。
【図６】図５において係合部材がロック位置にあるときの状態を示す部分拡大図。
【図７】図６のVII-VII線矢視断面図。
【図８】図５において係合部材がアンロック位置にあるときの状態を示す部分拡大図。
【図９】図２中のカバー部材の係合爪の作用を説明するための部分断面図。
【図１０】図２中のカバー部材の係合爪の作用を説明するための部分断面図。
【図１１】実施形態２のグラブボックスについて図２に対応した断面図。
【発明を実施するための形態】
【００１４】
上述の態様の好ましい実施形態について以下に説明する。
【００１５】
上記の車両用グラブボックスにおいて、上記固定部は、上記ボックス本体及び上記カバー部材の一方にアンロック位置とロック位置との間でスライド操作可能に組み込まれた係合部材を有し、上記係合部材が上記アンロック位置から上記ロック位置にスライド操作されて上記ボックス本体及び上記カバー部材の他方に設けられている被係合部と係合することによって上記カバー部材が上記ボックス本体に対して固定され、上記係合部材が上記ロック位置から上記アンロック位置にスライド操作されて上記被係合部との係合を解除することによって上記カバー部材が上記ボックス本体に対して固定解除されるように構成されているのが好ましい。
【００１６】
このグラブボックスによれば、係合部材によるロック位置とアンロック位置との間のスライド操作を利用してボックス本体に対するカバー部材の固定と固定解除を容易に切替えることができる。また、工具類を使用することなく係合部材を操作できる。更に、係合部材がボックス本体或いはカバー部材に組み込まれているため、この係合部材の紛失を防ぐことができる。
【００１７】
上記の車両用グラブボックスにおいて、上記係合部材のスライド方向は、上記ボックス本体の上記収容空間に収容されている収容物からこの係合部材が荷重を受ける方向と交差する方向であるのが好ましい。
【００１８】
このグラブボックスによれば、係合部材がロック位置にあるときこの係合部材が収容物から受ける荷重の影響によってアンロック位置に向けてスライドするのを防ぐことができる。
【００１９】
上記の車両用グラブボックスにおいて、上記カバー部材は、上記ボックス本体に設けられた挿入穴に挿入可能な係合爪を有し、上記係合爪が上記挿入穴に挿入されることによって上記ボックス本体に取付けられ、上記係合爪が上記挿入穴から抜き出されることによって上記ボックス本体から取外されるように構成されているのが好ましい。
【００２０】
このグラブボックスによれば、カバー部材はその係合爪がボックス本体の挿入穴に挿入されてボックス本体に取付けられることによってボックス本体のアクセス用開口を塞ぐことができる。一方で、カバー部材はその係合爪がボックス本体の挿入穴から抜き出されてボックス本体から取外されることによってボックス本体のアクセス用開口を開放することができる。この場合、ボックス本体に対するカバー部材の取付け操作及び取外し操作が簡単になる。また、カバー部材をボックス本体から取外して分離できる構造は、取付け操作及び取外し操作の際に曲げ荷重などの外力を受けにくいため耐久性に優れている。
【００２１】
上記の車両用グラブボックスにおいて、上記カバー部材が上記ボックス本体に取付けられた状態で、上記係合爪は、上記ボックス本体の上記収容空間に収容された収容物から上記ボックス本体のうち上記挿入穴の縁部に押し付けられる方向の荷重を受けるように構成されているのが好ましい。
【００２２】
このグラブボックスによれば、カバー部材がボックス本体に取付けられた状態で、このカバー部材が収容物から受ける荷重の影響によってボックス本体から外れるのを防ぐことができる。
【００２３】
上記の車両用グラブボックスにおいて、上記係合爪は、上記カバー部材の下部に下向きに湾曲して設けられており、上記カバー部材は、上記係合爪が上記ボックス本体の上記挿入穴に挿入された状態でこの係合爪を中心に回動可能に構成されているのが好ましい。
【００２４】
このグラブボックスによれば、カバー部材をボックス本体に取付けるときに、係合爪を挿入穴に挿入する動作に伴ってカバー部材を係合爪の湾曲方向に沿ってボックス本体に近づけるように動かすことができる。これにより、係合爪の湾曲構造がカバー部材をボックス本体に取付ける操作の助けになる。
【００２５】
上記の車両用グラブボックスにおいて、上記ボックス本体は、車両前方側に配置される第１パネル部材と車両後方側に配置される第２パネル部材が互いに接合されることによって上記収容空間を形成しており、上記第１パネル部材に上記作業用開口が設けられ、上記第２パネル部材のうち上記作業用開口と同じ高さに上記アクセス用開口が設けられているのが好ましい。
【００２６】
このグラブボックスによれば、２つのパネル部材を互いに接合して作業用開口及びアクセス用開口の高さ方向の位置を合わせたボックス本体を構築することができる。
【００２７】
上記の車両用グラブボックにおいて、上記ボックス本体の上記作業用開口は、上記対象ユニットとしての空調ユニットのエアフィルターの着脱のためのフィルター用開口であるのが好ましい。
【００２８】
このグラブボックスによれば、作業者はアクセス用開口を通じてフィルター用開口にアクセスして、空調ユニットのエアフィルターの着脱のための作業を行うことが可能になる。
【００２９】
（実施形態１）
以下、車両に取付けられる車両用グラブボックスの実施形態について、図面を参照しつつ説明する。
【００３０】
この実施形態の説明のための図面において、特に断りのない限り、このグラブボックスの前方を矢印ＦＲで示し、上方を矢印ＵＰで示し、右方を矢印ＲＨで示し、左方を矢印ＬＨで示すものとする。なお、このグラブボックスにおけるこれらの方向はそれぞれ、このグラブボックスが取付けられる車両における当該方向と一致している。
【００３１】
図１に示されるように、実施形態１にかかるインストルメントパネル構造１は、車両Ｂの自動車ボディに取付けられるインストルメントパネル（以下、単に「インパネ」という。）２と、車両用グラブボックスとしてのグラブボックス１０、とを備えている。
【００３２】
インパネ２には、各種のメーターやスイッチなどの計器類が配置されている。また、このインパネ２は、例えば２つのセンターレジスタ吹出口３と、１つのセンターデフロスタ吹出口４と、左右のサイドフェイス吹出口５と、左右のサイドデフロスタ吹出口６と、備えている。これらの吹出口は、空調ユニット６０（図２参照）で生成された空調風を案内するための空調用のダクト部材（図示省略）の吹出開口に連通している。このインパネ２は、「ダッシュボード」とも称呼される。
【００３３】
グラブボックス１０は、収容物（図２中の「収容物Ｗ」を参照）を収容するためものである。このグラブボックス１０は、インパネ２の助手席側に設けられ、且つ対象ユニットとしての空調ユニット６０の車両後方側に配置されている。このグラブボックス１０は、「グローブボックス」とも称呼される。
【００３４】
詳細については後述するが、このグラブボックス１０は、グラブドア３０を備えている。このグラブドア３０は、既知の施錠部３０ａを有する鍵付きのドアである。このため、グラブドア３０は、施錠部３０ａが施錠操作されると開くことができず、施錠部３０ａが解錠操作されることによって開くことができるようになっている。
【００３５】
なお、施錠部３０ａは、作業者が鍵穴にキーを差し込んで操作することによって施錠及び解錠の切替えが可能な構造であってもよいし、或いは作業者がリモコン等を操作することによって施錠及び解錠の切替えが可能な構造であってもよい
【００３６】
図２に示されるように、グラブボックス１０は、グラブドア３０に加えて、ボックス本体２０と、カバー部材４０と、固定部５０と、を備えている。グラブボックス１０を構成するこれらの各要素はいずれも、樹脂材料を主要な材料として構成されている。
【００３７】
ボックス本体２０は、収容空間２０ａを有する箱状且つ深底の部材であり、インパネ２に固定されている。このボックス本体２０は、収容空間２０ａの上方に設けられた上部開口２０ｂと、フィルター用開口２１ａと、アクセス用開口２３ａと、を有する。
【００３８】
フィルター用開口２１ａは、空調ユニット６０に対する作業用開口であり、空調ユニット６０のエアフィルター６１の着脱のために使用される。このフィルター用開口２１ａは、蓋部材２２によって開閉可能に構成されている。
【００３９】
アクセス用開口２３ａは、車室側からフィルター用開口２１ａにアクセスするために使用される。作業者は、アクセス用開口２３ａが開放されているとき、このアクセス用開口２３ａを通じて手指を挿入して蓋部材２２を開放した後、フィルター用開口２１ａに手指を挿入することによってエアフィルター６１にアクセスできる。
【００４０】
ボックス本体２０は、車両前方側に配置される第１パネル部材２１と、車両後方側に配置される第２パネル部材２３と、が互いに接合されることによって収容空間２０ａを形成している。このボックス本体２０において、第１パネル部材２１にフィルター用開口２１ａが貫通して設けられ、第２パネル部材２３のうちフィルター用開口２１ａと同じ高さにアクセス用開口２３ａが貫通して設けられている。２つのパネル部材２１，２３を互いに接合することによって、フィルター用開口２１ａ及びアクセス用開口２３ａの高さ方向の位置を合わせたボックス本体２０を構築することができる。
【００４１】
グラブドア３０は、ボックス本体２０に上部開口２０ｂを開閉可能且つ施錠可能に設けられている。このグラブドア３０は、ヒンジ部３１を中心に閉位置Ｐ１と開位置Ｐ２との間で回動可能に構成された下開き式のドア（「リッド」ともいう。）として構成されている。このような下開き式のグラブドア３０は、収容空間２０ａから収容物Ｗを取り出し易いという利点がある。
【００４２】
カバー部材４０は、ボックス本体２０の第２パネル部材２３にアクセス用開口２３ａを塞ぐように取付けられる。このカバー部材４０は、下部に下向きに湾曲して設けられた係合爪４１を有し、この係合爪４１は、ボックス本体２０の第２パネル部材２３に貫通状に設けられた挿入穴２３ｂに挿入可能に構成されている。
【００４３】
このため、カバー部材４０は、係合爪４１が挿入穴２３ｂに挿入されることによってボックス本体２０に取付けられる一方で、係合爪４１が挿入穴２３ｂから抜き出されることによってボックス本体２０から取外されるように構成されている。この場合、カバー部材４０は、係合爪４１が挿入穴２３ｂに挿入された状態でこの係合爪４１を中心に閉位置Ｑ１と開位置Ｑ２との間で回動可能に構成された下開き式のドアとして構成されている。
【００４４】
固定部５０は、ボックス本体２０に取付けられたカバー部材４０をこのボックス本体２０に対して固定するのに用いられる。詳細については後述するが、グラブドア３０の施錠が解除され且つこのグラブドア３０が開放された状態で、ボックス本体２０の上部開口２０ｂを通じてこの固定部５０によるカバー部材４０の固定及び固定解除が可能となる。
【００４５】
図３に示されるように、カバー部材４０は、プレート状に構成されており、片面４０ａの下部からいずれも延出した４つの係合爪４１と、片面４０ａの上部からいずれも延出した被係合部としての２つの被係合片４２と、を備えている。
【００４６】
４つの係合爪４１は、カバー部材４０の片面４０ａに左右方向に互いに離間して配置されている。２つの被係合片４２は、カバー部材４０の片面４０ａに左右方向に互いに離間して配置されている。２つの被係合片４２のそれぞれには、左右方向に貫通した係合穴４３が設けられている。
【００４７】
なお、上記のカバー部材４０における係合爪４１及び被係合片４２のそれぞれの数や寸法については、必要に応じて適宜に変更が可能である。
【００４８】
図４及び図５に示されるように、グラブドア３０は、左右方向の２箇所にヒンジ部３１を備えている。これに対応して、ボックス本体２０の第２パネル部材２３は、グラブドア３０の各ヒンジ部３１を回動可能に支持するための支持部２４を左右方向の２箇所に備えている。支持部２４は、ヒンジ部３１が収容される凹部２４ａを有する。ヒンジ部３１は、支持部２４の凹部２４ａに収容された状態で連結手段（図示省略）によって回動可能に連結されている。
【００４９】
カバー部材４０は、４つの係合爪４１がいずれも第２パネル部材２３のうち対応する挿入穴２３ｂに挿入され、且つ２つの被係合片４２がいずれも第２パネル部材２３のうち対応する支持部２４の凹部２４ａに挿入されることによって、ボックス本体２０のアクセス用開口２３ａを塞いだ状態になる。
【００５０】
固定部５０は、ボックス本体２０の第２パネル部材２３の上部の左右方向の２箇所に設けられている。固定部５０は、係合部材５１と、スライドレール部５２と、を備えている。
【００５１】
係合部材５１は、ボックス本体２０の第２パネル部材２３に設けられたスライドレール部５２によってスライド方向Ｘにスライド可能に支持されている。この係合部材５１は、ボックス本体２０の第２パネル部材２３にアンロック位置（後述のアンロック位置Ｒ１）とアンロック位置よりも外方のロック位置（後述のロック位置Ｒ２）との間でスライド方向Ｘにスライド操作可能に組み込まれている。
即ち、右側の係合部材５１はアンロック位置から右方へスライドすることによってロック位置に設定され、左側の係合部材５１はアンロック位置から左方へスライドすることによってロック位置に設定されるようになっている。
【００５２】
この係合部材５１は、第２パネル部材２３の支持部２４に設けられた凹部２４ａにカバー部材４０の被係合片４２が挿入された状態で、アンロック位置からロック位置へスライドしたときに被係合片４２の係合穴４３に挿入されるように構成されている。このとき、係合部材５１と被係合片４２が互いに係合した係合状態となる。
【００５３】
また、この係合部材５１は、作業者が把持可能なノブ５１ａを備えている。このノブ５１ａは、ボックス本体２０の収容空間２０ａに露出するように配置されている。このため、作業者は、ボックス本体２０の上部開口２０ｂを通じて収容空間２０ａに手指を挿入してノブ５１ａを把持し、係合部材５１をスライド方向Ｘにスライドさせることによって、その設定位置をアンロック位置とロック位置との間で切替えることができる。従って、固定部５０によるカバー部材４０の固定及び固定解除が可能となる。
【００５４】
なお、固定部５０の位置や数については、必要に応じて適宜に変更が可能である。作業者による係合部材５１のノブ５１ａの操作を楽にするには、この固定部５０を第２パネル部材２３の上部に設けるのが好ましい。また、固定部５０によるカバー部材４０の固定が解除されにくくするためには、この固定部５０を複数設けるのが好ましい。
【００５５】
図６及び図７に示されるように、支持部２４の凹部２４ａにカバー部材４０の被係合片４２が挿入された状態で、係合部材５１がアンロック位置Ｒ１からロック位置Ｒ２にスライド操作されて被係合片４２の係合穴４３に挿入されることによって、カバー部材４０がボックス本体２０に対して固定される。
【００５６】
ここで、図７に示されるように、係合部材５１のスライド方向Ｘは、ボックス本体２０の収容空間２０ａに収容されている収容物（図２中の収容物Ｗを参照）からこの係合部材５１が荷重Ｆａを受ける方向と交差する方向である。即ち、係合部材５１のスライド方向Ｘが荷重Ｆａを受ける方向と交差している。このため、係合部材５１がロック位置Ｒ２にあるときこの係合部材５１が収容物Ｗから受ける荷重Ｆａの影響によってアンロック位置Ｒ１に向けてスライドするのを防ぐことができる。
特に、係合部材５１のこのようなスライドをより確実に防ぐためには、係合部材５１のスライド方向Ｘが荷重Ｆａを受ける方向と直交しているのが好ましい。
【００５７】
一方で、図８に示されるように、支持部２４の凹部２４ａにカバー部材４０の被係合片４２が挿入された状態で、係合部材５１がロック位置Ｒ２からアンロック位置Ｒ１にスライド操作されて被係合片４２の係合穴４３から抜き出されることによって、カバー部材４０がボックス本体２０に対して固定解除される。
【００５８】
図９に示されるように、カバー部材４０がボックス本体２０に取付けられた状態で、即ち係合爪４１が挿入穴２３ｂに挿入されてカバー部材４０が閉位置Ｑ１にあるときに、係合爪４１は、ボックス本体２０の収容空間２０ａに収容された収容物Ｗ（図２参照）からボックス本体２０のうち挿入穴２３ｂの縁部２５に押し付けられる方向の荷重Ｆｂを受けるように構成されている。これにより、カバー部材４０がボックス本体２０に取付けられた状態で、このカバー部材４０が収容物Ｗから受ける荷重Ｆｂの影響によってボックス本体２０から外れるのを防ぐことができる。
【００５９】
図１０に示されるように、カバー部材４０をボックス本体２０に取付けるときに、係合爪４１を挿入穴２３ｂに挿入する動作に伴ってカバー部材４０を係合爪４１の湾曲方向Ｃに沿ってボックス本体２０に近づけるように動かすことができる。これにより、係合爪４１の湾曲構造がカバー部材４０をボックス本体２０に取付ける操作の助けになる。
【００６０】
以下に、上述の実施形態の作用効果について説明する。
【００６１】
上記のグラブボックス１０において、ボックス本体２０はインパネ２に固定され且つ収容空間２０ａの上方に上部開口２０ｂを備える。このため、グラブドア３０を開いてもボックス本体２０自体が動かないためボックス本体２０の収容空間２０ａから収容物Ｗが抜け出すのを防ぐことができ、使い勝手が良い。
【００６２】
また、カバー部材４０がボックス本体２０のアクセス用開口２３ａを塞いでいない状態で、作業者はこのアクセス用開口２３ａを通じてフィルター用開口２１ａにアクセスして、空調ユニット６０のエアフィルター６１の着脱作業を行うことができる。この場合、作業者は、ボックス本体２０の上部開口２０ｂの位置に制限されることなくフィルター用開口２１ａへのアクセスが可能であるためアクセス性が良い。
【００６３】
更に、空調ユニット６０との間での配置関係の影響によってボックス本体２０の前後方向の底面寸法が制限される場合でも、ボックス本体２０の上部開口２０ｂよりも下方に収容空間２０ａを確保することによって、限られたスペースを有効活用できる。
【００６４】
ここで、カバー部材４０は固定部５０によってボックス本体２０に固定される。そして、グラブドア３０の施錠が解除され且つこのグラブドア３０が開放された状態で上部開口２０ｂを通じてのみ、固定部５０によるカバー部材４０の固定及び固定解除が可能とされている。即ち、グラブドア３０が施錠された状態では固定部５０によるカバー部材の固定及び固定解除が実質的に不能になる。
【００６５】
このため、鍵付きのグラブドア３０を開かなければカバー部材４０をボックス本体２０から容易に取外すことができず、ボックス本体２０の収容空間２０ａの収容物Ｗに対する防犯性が担保されるためセキュリティ対策に優れている。
【００６６】
以上のごとく、実施形態１によれば、ボックス本体２０の上部にグラブドア３０を備えるグラブボックス１０において、空調ユニット６０に対するフィルター用開口２１ａへのアクセス性を向上させ且つ収容物Ｗに対する防犯性を高めることができる。
【００６７】
上記のグラブボックス１０によれば、係合部材５１によるロック位置Ｒ２とアンロック位置Ｒ１との間のスライド操作を利用してボックス本体２０に対するカバー部材４０の固定と固定解除を容易に切替えることができる。また、工具類を使用することなく係合部材５１を操作できる。更に、係合部材５１がボックス本体２０に組み込まれているため、この係合部材５１の紛失を防ぐことができる。
【００６８】
上記のグラブボックス１０によれば、カバー部材４０はその係合爪４１がボックス本体２０の挿入穴２３ｂに挿入されてボックス本体２０に取付けられることによってボックス本体２０のアクセス用開口２３ａを塞ぐことができる。一方で、カバー部材は４０その係合爪４１がボックス本体２０の挿入穴２３ｂから抜き出されてボックス本体２０から取外されることによってボックス本体２０のアクセス用開口２３ａを開放することができる。この場合、ボックス本体２０に対するカバー部材４０の取付け操作及び取外し操作が簡単になる。
【００６９】
また、カバー部材４０をボックス本体２０から取外して分離できる構造は、取付け操作及び取外し操作の際に曲げ荷重などの外力を受けにくいため耐久性に優れている。
【００７０】
次に、実施形態１に関連する他の実施形態について図面を参照しつつ説明する。他の実施形態において、実施形態１の要素と同一の要素には同一の符号を付しており、当該同一の要素についての説明は省略する。
【００７１】
（実施形態２）
図１１に示されるように、実施形態２のグラブボックス１１０は、カバー部材１４０の構造についてのみグラブボックス１０のカバー部材４０のものと相違している。
その他の構成は、実施形態１と同様である。
【００７２】
グラブボックス１１０において、カバー部材１４０は、ボックス本体２０の第２パネル部材２３に接合されて一体化されている。また、このカバー部材１４０は、板厚についての薄肉部分によって形成されたインテグラルヒンジ部１４１を備えている。このため、このカバー部材１４０は、インテグラルヒンジ部１４１を中心に閉位置Ｑ１と開位置Ｑ２との間で回動可能に構成されている。
【００７３】
実施形態２によれば、カバー部材１４０のヒンジ部の構造を簡素化できる。また、カバー部材１４０がボックス本体２０と一体であるため、ボックス本体２０のアクセス用開口２３ａを開放した状態のカバー部材１４０がボックス本体２０から離脱するのを防ぐことができる。
その他、実施形態１と同様の作用効果を奏する。
【００７４】
本発明は、上記の実施形態のみに限定されるものではなく、本発明の目的を逸脱しない限りにおいて種々の応用や変形が考えられる。例えば、上記の実施形態を応用した次の各形態を実施することもできる。
【００７５】
上記の実施形態では、グラブボックス１０，１１０が下開き式のドアであるグラブドア３０を備える場合について例示したが、このグラブドア３０に代えて、上開き式のグラブドアや横開き式のグラブドアを採用することもできる。
【００７６】
上記の実施形態では、ボックス本体２０に係合部材５１を設け且つカバー部材４０，１４０に被係合片４２を設ける場合について例示したが、これに代えて、ボックス本体２０に被係合片４２に相当する要素を設け且つカバー部材４０，１４０に係合部材５１に相当する要素を設けることもできる。
【００７７】
上記の実施形態では、係合部材５１と被係合片４２とが互いに係合する構造を利用して、カバー部材４０，１４０をボックス本体２０に対して固定する場合について例示したが、カバー部材４０，１４０をボックス本体２０に対して固定する手段としてこれ以外の別構造を採用することもできる。別構造として、例えば、被係合片４２の係合穴４３に着脱可能に係合する樹脂製のクリップや、ボックス本体２０とカバー部材４０，１４０を締結固定可能な締結部材などを用いることができる。
【００７８】
上記の実施形態では、空調ユニット６０の車両後方側に配置されるグラブボックス１０，１１０について例示したが、これらグラブボックス１０，１１０の構造を、空調ユニット６０以外の対象ユニットの車両後方側に配置されるグラブボックスの構造に適用することもできる。この場合、ボックス本体２０に相当する要素には、空調ユニット６０に対するフィルター用開口２１ａに代えて、対象ユニットに対する作業を行うための作業用開口が設けられる。
【００７９】
上記の実施形態では、ボックス本体２０は２つのパネル部材２１，２３が互いに接合されることによって構成される場合について例示したが、ボックス本体２０を構成するための接合される要素の数は２つの限定されるものではなく、２つ以外の数の要素を接合してボックス本体２０を構成することもできる。
【００８０】
上記の実施形態では、カバー部材４０に下向きに湾曲した係合爪４１を設ける場合について例示したが、この係合爪４１の向きや形状はこれに限定されるものではなく、必要に応じて適宜に変更が可能である。例えば、係合爪４１を上向きや横向きに湾曲させた構造や、係合爪４１を種々の向きに屈曲させた構造などを採用することもできる。
【００８１】
上記の実施形態では、一方の要素である係合部材５１が他方の要素である被係合片４２の係合穴４３に挿入されることによって２つの要素が係合する場合について例示したが、これに代えて、２つの要素のそれぞれに設けられた爪部同士が互いに係合する構造を採用することもできる。
【符号の説明】
【００８２】
２  インストルメントパネル
１０，１１０  グラブボックス（車両用グラブボックス）
２０  ボックス本体
２０ａ  収容空間
２０ｂ  上部開口
２１  第１パネル部材
２１ａ  フィルター用開口（作業用開口）
２３  第２パネル部材
２３ａ  アクセス用開口
２３ｂ  挿入穴
２５  縁部
３０  グラブドア
４０，１４０  カバー部材
４１  係合爪
４２  被係合片（被係合部）
５０  固定部
５１  係合部材
６０  空調ユニット（対象ユニット）
６１  エアフィルター
Ｆａ，Ｆｂ  荷重
Ｒ１  アンロック位置
Ｒ２  ロック位置
Ｗ  収容物
Ｘ  スライド方向
【図１】
2019098842.tif 000003
【図２】
2019098842.tif 000004
【図３】
2019098842.tif 000005
【図４】
2019098842.tif 000006
【図５】
2019098842.tif 000007
【図６】
2019098842.tif 000008
【図７】
2019098842.tif 000009
【図８】
2019098842.tif 000010
【図９】
2019098842.tif 000011
【図１０】
2019098842.tif 000012
【図１１】
2019098842.tif 000013